(57)【要約】【課題】個人情報の漏洩の可能性を低減できる電子掲示板用プログラムを提供する。【解決手段】電子掲示板用プログラムは、第１端末１０において電子掲示板に関連付けされる認証情報が入力される認証情報入力処理＃１と、認証情報から二次認証情報を生成する二次認証情報生成処理＃２と、管理端末３０において、第１端末１０から二次認証情報を第１認証情報として取得する第１認証情報取得処理＃３と、管理端末３０において、第１端末１０における特定の電子掲示板の次回の使用時に、第１端末１０から二次認証情報を第２認証情報として取得する第２認証情報取得処理＃４と、管理端末３０において、第１認証情報と第２認証情報とが同一であるか否かを判定する第１判定処理＃５と、第１認証情報と第２認証情報とが同一である場合に、第１端末１０に特定の電子掲示板の使用を許諾する第１許諾処理＃６と、を備える。【選択図】図１
2020170250.tif 000002
【特許請求の範囲】
【請求項１】
ネットワークを介して接続された複数の端末で特定の電子掲示板を共同利用させるための電子掲示板用プログラムであって、
前記複数の端末のうちの１つの端末において、前記特定の電子掲示板に関連付けされる認証情報が入力される認証情報入力処理と、
前記認証情報を画像化した画像化認証情報及び前記認証情報が手書き入力されてから予め設定された文字数に達するまでの文字列の一方からなる二次認証情報を生成する二次認証情報生成処理と、
前記特定の電子掲示板を管理する管理端末において、前記１つの端末から前記二次認証情報を第１認証情報として取得する第１認証情報取得処理と、
前記管理端末において、前記１つの端末における前記特定の電子掲示板の次回の使用時に、前記１つの端末から前記二次認証情報を第２認証情報として取得する第２認証情報取得処理と、
前記管理端末において、前記第１認証情報と前記第２認証情報とが同一であるか否かを判定する第１判定処理と、
前記第１認証情報と前記第２認証情報とが同一である場合に、前記１つの端末に前記特定の電子掲示板の使用を許諾する第１許諾処理と、
を備える電子掲示板用プログラム。
【請求項２】
前記複数の端末のうちの前記１つの端末とは異なる他の端末において、前記二次認証情報を取得する二次認証情報取得処理と、
前記管理端末において、前記他の端末から前記二次認証情報を第３認証情報として取得する第３認証情報取得処理と、
前記管理端末において、前記第１認証情報と前記第３認証情報とが同一であるか否かを判定する第２判定処理と、
前記第１認証情報と前記第３認証情報とが同一である場合に、前記他の端末に前記特定の電子掲示板の使用を許諾する第２許諾処理と、
を備える請求項１に記載の電子掲示板用プログラム。
【請求項３】
前記二次認証情報生成処理は、前記認証情報入力処理において前記認証情報が入力されてから予め設定された時間が経過すると自動で実行される請求項１又は２に記載の電子掲示板用プログラム。
【請求項４】
前記画像化認証情報は、手書き入力された認証情報を画像化した情報である請求項１から３のいずれか一項に記載の電子掲示板用プログラム。
【請求項５】
前記二次認証情報が前記画像化認証情報からなる場合に、
前記二次認証情報は、前記画像化認証情報における予め設定された範囲内の画像データである請求項１から３のいずれか一項に記載の電子掲示板用プログラム。
【請求項６】
ネットワークを介して接続された複数の端末で特定の電子掲示板を共同利用する電子掲示板システムであって、
前記複数の端末のうちの１つの端末に設けられ、前記特定の電子掲示板に関連付けされる認証情報が入力される認証情報入力部と、
前記認証情報を画像化した画像化認証情報及び前記認証情報が手書き入力されてから予め設定された文字数に達するまでの文字列の一方からなる二次認証情報を生成する二次認証情報生成部と、
前記特定の電子掲示板を管理する管理端末に設けられ、前記１つの端末から前記二次認証情報を第１認証情報として取得する第１認証情報取得部と、
前記管理端末において、前記１つの端末における前記特定の電子掲示板の次回の使用時に、前記１つの端末から前記二次認証情報を第２認証情報として取得する第２認証情報取得部と、
前記管理端末において、前記第１認証情報と前記第２認証情報とが同一であるか否かを判定する第１判定部と、
前記第１認証情報と前記第２認証情報とが同一である場合に、前記１つの端末に前記特定の電子掲示板の使用を許諾する第１許諾部と、
を備える電子掲示板システム。
【発明の詳細な説明】
【技術分野】
【０００１】
本発明は、ネットワークを介して接続された複数の端末で特定の電子掲示板を共同利用させるための電子掲示板用プログラム、及びネットワークを介して接続された複数の端末で特定の電子掲示板を共同利用する電子掲示板システムに関する。
【背景技術】
【０００２】
従来、ネットワークを介して複数の端末で、一つの電子掲示板を使用する技術（以下「従来技術」とする）が用いられてきた。この種の従来技術では、電子掲示板を利用する際に、最初に、メールアドレスやパスワードをユーザが入力し、入力したメールアドレス宛てに届いたメールに記載される登録用のＵＲＬ（uniform resource locator）にアクセスすることで、ユーザ登録が行われる。次に、このユーザ登録の完了後、メールアドレスとパスワードとを入力することで、電子掲示板を利用することが可能となる。また、複数のユーザでメールアドレスとパスワードとを共有することで、電子掲示板を共同利用することも可能である。
【０００３】
また、同様の技術の一つに、例えば特許文献１に記載されるものもある。特許文献１には、通信ネットワーク上で複数の利用者が自由にメッセージを書き込み、閲覧可能な電子掲示板システムが記載されている。この電子掲示板システムは、複数の利用者が有する端末装置の夫々に、固有の認証ＩＤが登録されており、電子掲示板サーバにも、各端末装置に登録されている認証ＩＤが登録されている。電子掲示板サーバに外部端末からアクセスがあった場合に、電子掲示板サーバは登録されている認証ＩＤとアクセスしてきた外部端末に登録されている認証ＩＤとに基づいて当該外部端末が電子掲示板サーバを利用可能か否かを判定している。
【先行技術文献】
【特許文献】
【０００４】
【特許文献１】特開２００４−３３６４７９号公報
【発明の概要】
【発明が解決しようとする課題】
【０００５】
上述したように、従来技術では電子掲示板を利用する際に、メールアドレスやパスワードをユーザが入力し、更に届いたメールに記載される登録用のＵＲＬにアクセスして、ユーザ登録を行う必要がある。一方、特許文献１に記載の技術では、認証ＩＤとして、例えば電話番号やＥ−ｍａｉｌアドレスが利用可能であるとしている。しかしながら、従来技術や特許文献１に記載の技術は、ユーザ登録や認証ＩＤを事前に登録し、覚えておく必要があり、ユーザにとって煩わしい作業が生じる。また、サーバに電話番号、Ｅ−ｍａｉｌアドレス、パスワード等を記憶しておくため、例えばサーバに不法侵入があった場合には個人情報が漏洩する可能性がある。更には、複数のユーザでメールアドレスとパスワードとを共有するために、電子メールでこれらを送信する際にも個人情報が漏洩する可能性がある。
【０００６】
そこで、ユーザが煩わしいと感じることなく、個人情報の漏洩の可能性を低減できる電子掲示板用プログラム及び電子掲示板システムが求められる。
【課題を解決するための手段】
【０００７】
本発明に係る電子掲示板用プログラムの特徴構成は、ネットワークを介して接続された複数の端末で特定の電子掲示板を共同利用させるための電子掲示板用プログラムであって、前記複数の端末のうちの１つの端末において、前記特定の電子掲示板に関連付けされる認証情報が入力される認証情報入力処理と、前記認証情報を画像化した画像化認証情報及び前記認証情報が手書き入力されてから予め設定された文字数に達するまでの文字列の一方からなる二次認証情報を生成する二次認証情報生成処理と、前記特定の電子掲示板を管理する管理端末において、前記１つの端末から前記二次認証情報を第１認証情報として取得する第１認証情報取得処理と、前記管理端末において、前記１つの端末における前記特定の電子掲示板の次回の使用時に、前記１つの端末から前記二次認証情報を第２認証情報として取得する第２認証情報取得処理と、前記管理端末において、前記第１認証情報と前記第２認証情報とが同一であるか否かを判定する第１判定処理と、前記第１認証情報と前記第２認証情報とが同一である場合に、前記１つの端末に前記特定の電子掲示板の使用を許諾する第１許諾処理と、を備えている点にある。
【０００８】
このような特徴構成とすれば、電子掲示板を利用する際に、利用者により入力された認証情報に基づき生成された二次認証情報を用いて、電子掲示板の使用できるか否かを判定するので、認証情報として個人情報以外のものを用いることにより個人情報の漏洩をなくすことができる。また、認証情報から二次認証情報を生成するので、ユーザは認証情報を覚えておく必要がないので、ユーザが煩わしいと感じることもない。
【０００９】
また、前記複数の端末のうちの前記１つの端末とは異なる他の端末において、前記二次認証情報を取得する二次認証情報取得処理と、前記管理端末において、前記他の端末から前記二次認証情報を第３認証情報として取得する第３認証情報取得処理と、前記管理端末において、前記第１認証情報と前記第３認証情報とが同一であるか否かを判定する第２判定処理と、前記第１認証情報と前記第３認証情報とが同一である場合に、前記他の端末に前記特定の電子掲示板の使用を許諾する第２許諾処理と、を備えると好適である。
【００１０】
このような構成とすれば、複数の端末のうちの１つの端末と他の端末とにおいて、二次認証情報を共有できるので、他の端末においても個人情報の漏洩を防ぐことができる。また、二次認証情報に基づいて容易に電子掲示板が使用可能か否かを判定できる。
【００１１】
また、前記二次認証情報生成処理は、前記認証情報入力処理において前記認証情報が入力されてから予め設定された時間が経過すると自動で実行されると好適である。
【００１２】
このような構成とすれば、ユーザが認証情報の入力に伴い、自動で二次認証情報を生成できるので、ユーザの手間を軽減できる。したがって、ユーザが煩わしいと感じることを防止できる。
【００１３】
また、前記画像化認証情報は、手書き入力された認証情報を画像化した情報であると好適である。
【００１４】
このような構成とすれば、認証情報として手書き入力されたイラストを用いることができる。このようなイラストに基づき生成された二次認証情報を用いることで、個人情報の漏洩を防止できる。
【００１５】
また、前記二次認証情報が前記画像化認証情報からなる場合に、前記二次認証情報は、前記画像化認証情報における予め設定された範囲内の画像データであっても良い。
【００１６】
このような構成とすれば、二次認証情報の生成に必要な範囲に対して画像化すれば良いので、二次認証情報の生成に係る演算負荷を軽減できる。
【００１７】
また、本発明に係る電子掲示板システムの特徴構成は、ネットワークを介して接続された複数の端末で特定の電子掲示板を共同利用する電子掲示板システムであって、前記複数の端末のうちの１つの端末に設けられ、前記特定の電子掲示板に関連付けされる認証情報が入力される認証情報入力部と、前記認証情報を画像化した画像化認証情報及び前記認証情報が手書き入力されてから予め設定された文字数に達するまでの文字列の一方からなる二次認証情報を生成する二次認証情報生成部と、前記特定の電子掲示板を管理する管理端末に設けられ、前記１つの端末から前記二次認証情報を第１認証情報として取得する第１認証情報取得部と、前記管理端末において、前記１つの端末における前記特定の電子掲示板の次回の使用時に、前記１つの端末から前記二次認証情報を第２認証情報として取得する第２認証情報取得部と、前記管理端末において、前記第１認証情報と前記第２認証情報とが同一であるか否かを判定する第１判定部と、前記第１認証情報と前記第２認証情報とが同一である場合に、前記１つの端末に前記特定の電子掲示板の使用を許諾する第１許諾部と、を備えている点にある。
【００１８】
このような電子掲示板システムであっても、上述した電子掲示板用プログラムと実質的に差異はなく、電子掲示板用プログラムと同様の効果を奏することが可能である。
【図面の簡単な説明】
【００１９】
【図１】本実施形態の電子掲示板用プログラムの構成を示す図である。
【図２】本実施形態の電子掲示板用プログラムの処理を示す図である。
【図３】本実施形態の電子掲示板用プログラムの処理を示す図である。
【図４】その他の実施形態に係る二次認証情報を示す図である。
【図５】その他の実施形態に係る二次認証情報を示す図である。
【図６】電子掲示板システムの構成を示す図である。
【発明を実施するための形態】
【００２０】
本発明に係る電子掲示板用プログラムは、ユーザが煩わしいと感じることなく、個人情報の漏洩の可能性を低減できるように構成される。以下、本実施形態の電子掲示板用プログラムについて説明する。
【００２１】
ここで、電子掲示板とは、例えばスマートフォン、タブレット、パーソナルコンピュータ等の電子機器を用いて文字や絵をかくことが可能な掲示板やキャンバスであって、ネットワークを介して接続された上記スマートフォン、タブレット、パーソナルコンピュータ等の複数の端末で共同利用可能に構成されている。本実施形態では、理解を容易にするために、複数の端末が第１端末１０及び第２端末２０の２つから構成される場合の例を挙げて説明する。また、詳細は後述するが、電子掲示板を管理する管理端末３０が、第１端末１０及び第２端末２０とネットワークを介して接続される。
【００２２】
図１に示されるように、本実施形態の電子掲示板用プログラムは、認証情報入力処理＃１、二次認証情報生成処理＃２、第１認証情報取得処理＃３、第２認証情報取得処理＃４、第１判定処理＃５、第１許諾処理＃６、二次認証情報取得処理＃７、第３認証情報取得処理＃８、第２判定処理＃９、第２許諾処理＃１０から構成される。
【００２３】
認証情報入力処理＃１は、複数の端末のうちの１つの端末において、特定の電子掲示板に関連付けされる認証情報が入力される。複数の端末のうちの１つの端末とは、電子掲示板を共同利用するにあたり、電子掲示板の開設（利用登録）を行う端末であって、本実施形態では上述した第１端末１０が相当する。特定の電子掲示板とは、第１端末１０が複数の端末からなる所期のグループで共同利用を考えている電子掲示板である。
【００２４】
ここで、このような特定の電子掲示板は、本実施形態では管理端末３０により管理される。管理端末３０は、第１端末１０及び第２端末２０による電子掲示板の共同利用だけでなく、第１端末１０及び第２端末２０とは異なる他の端末による電子掲示板の共同利用を管理することから、共同利用される電子掲示板の夫々を区別するために認証情報を紐付けして管理している。
【００２５】
認証情報入力処理＃１では、このような認証情報が入力される。認証情報は、例えばタッチパネルを介して第１端末１０のユーザが手書き入力により入力することが可能である。係る場合、認証情報は手書き入力された情報が相当する。このような認証情報は、文字であっても良いし、イラストであっても良い。
【００２６】
本実施形態では、二次認証情報生成処理＃２は、認証情報を画像化した画像化認証情報からなる二次認証情報を生成する。認証情報とは、認証情報入力処理＃１において入力される情報である。二次認証情報とは、認証情報と紐付けされた電子掲示板を共同利用する端末と共有する認証情報である。二次認証情報は、認証情報を利用して生成される。本実施形態では、二次認証情報は認証情報を画像化して生成される。このような認証情報を画像化して生成された二次認証情報は画像化認証情報として扱われる。
【００２７】
また、本実施形態では、二次認証情報生成処理＃２は、認証情報入力処理＃１において認証情報が入力されてから予め設定された時間が経過すると自動で実行される。したがって、二次認証情報は、第１端末１０においてユーザが認証情報の入力を始めてから、予め設定された時間が経過すると自動で生成される。予め設定された時間は、例えば数秒程度〜数十秒程度に設定することが可能である。このように構成することで、第１端末１０のユーザは認証情報を入力するだけで良く、二次認証情報の生成のための操作を不要とでき、ユーザが煩わしく感じることが無いようにできる。このような二次認証情報は、第１端末１０の記憶部（図示せず）に記憶しておくと好適である。
【００２８】
第１認証情報取得処理＃３は、管理端末３０において、１つの端末から二次認証情報を第１認証情報として取得する。１つの端末とは、第１端末１０である。管理端末３０は第１端末１０とネットワークを介して接続されており、第１端末１０における二次認証情報生成処理＃２により生成された二次認証情報をネットワークを介して取得する。管理端末３０では、第１端末１０から取得した二次認証情報は第１認証情報として記憶部（図示せず）に記憶される。
【００２９】
ここで、二次認証情報は複数の端末で特定の電子掲示板を共同利用する際の認証に用いられるが、第１端末１０が改めて当該電子掲示板を利用する際の認証にも用いられる。まずは、後者の認証について説明する。
【００３０】
第１端末１０における特定の電子掲示板の次回の使用時に、管理端末３０において第１端末１０から二次認証情報を第２認証情報として取得する第２認証情報取得処理＃４が実行される。第１端末１０における特定の電子掲示板の次回の使用時とは、上述した二次認証情報生成処理＃２により生成された二次認証情報が第１認証情報取得処理＃３により管理端末３０に取得された後、一旦電子掲示板の利用を中止し、改めて第１端末１０が当該電子掲示板を利用しようとした時である。具体的には第１端末１０が再起動したり、認証の有効時間を設定している時において有効時間が経過した時である。係る場合に、第１端末１０から管理端末３０に対して改めて二次認証情報が伝達され、管理端末３０では伝達された二次認証情報が第２認証情報として記憶部（図示せず）に記憶される。なお、第１端末１０から管理端末３０への二次認証情報の伝達は、例えば電子掲示板を用いてアップロードすることにより行うことが可能である。
【００３１】
第１判定処理＃５は、管理端末３０において、第１認証情報と第２認証情報とが同一であるか否かを判定する。第１認証情報は上述したように、第１認証情報取得処理＃３により取得され、記憶部に記憶されている。第２認証情報は上述したように、第２認証情報取得処理＃４により取得され、記憶部に記憶されている。第１判定処理＃５では、第１端末１０から取得した第２認証情報が、電子掲示板の利用登録時に第１端末１０から取得していた第１認証情報と一致していれば、第１端末１０が第１認証情報及び第２認証情報に元となる認証情報に紐付けされた電子掲示板を使用可能であると判定し、第１端末１０から取得した第２認証情報が、電子掲示板の利用登録時に第１端末１０から取得した第１認証情報と一致していなければ、第１端末１０が第１認証情報の元となる認証情報に紐付けされた電子掲示板を使用不可能であると判定する。一致するか否かは、例えば画像データの全画素の一致度を用いて判定すると良い。この場合、予め設定された値以上の一致度がある場合に一致すると判定すると良い。
【００３２】
第１許諾処理＃６は、第１判定処理＃５において第１認証情報と第２認証情報とが同一であると判定された場合に、第１端末１０に特定の電子掲示板の使用を許諾する。すなわち、第１判定処理＃６において第１端末１０が第１認証情報及び第２認証情報に元となる認証情報に紐付けされた電子掲示板を使用可能であると判定された場合に、第１端末１０に対して当該電子掲示板の使用を許諾する。使用の許諾は、第１端末１０に対してメッセージを送るようにしても良いし、第１端末１０において電子掲示板の使用が可能となるように第１端末１０の表示画面に電子掲示板を表示しても良い。また、第１判定処理＃５において第１端末１０が第１認証情報の元となる認証情報に紐付けされた電子掲示板を使用不可能であると判定された場合には、第１端末１０の表示画面に当該電子掲示板の使用ができないことを明示するメッセージを表示するように構成すると好適である。このようにして第１端末１０が電子掲示板の利用登録後、改めて電子掲示板を利用する際に容易に利用可能か否かを判定することが可能となる。
【００３３】
次に、第１端末１０以外の端末で第１端末１０により利用登録が行われた電子掲示板を共同利用する際の認証について説明する。
【００３４】
まず、複数の端末のうちの１つの端末とは異なる他の端末において、第１端末１０により利用登録が行われた電子掲示板を利用するに際し、二次認証情報を取得する二次認証情報取得処理＃７が実行される。本実施形態では、複数の端末のうちの１つの端末とは第１端末１０である。この１つの端末とは異なる他の端末とは、第１端末１０により利用登録された電子掲示板を共同利用する端末であって、本実施形態では第２端末２０が相当する。したがって、二次認証情報取得処理＃７は、第２端末２０において実行され、第１端末１０から当該第１端末１０において生成された二次認証情報を取得する処理にあたる。
【００３５】
第２端末２０は第１端末１０とネットワークを介して接続されており、第１端末１０における二次認証情報生成処理＃２により生成された二次認証情報をネットワークを介して取得する。例えば第１端末１０において二次認証情報が生成されると、第１端末１０のユーザが二次認証情報を添付した電子メールを第２端末２０に送信するようにし、第２端末２０において二次認証情報を取得するように構成すると好適である。第２端末２０では、第１端末１０から取得した二次認証情報は記憶部（図示せず）に記憶すると好適である。
【００３６】
次に、管理端末３０において、他の端末から二次認証情報を第３認証情報として取得する第３認証情報取得処理＃８が実行される。他の端末とは、第２端末２０である。管理端末３０は第２端末２０とネットワークを介して接続されており、第２端末２０における二次認証情報取得処理＃７により取得された二次認証情報をネットワークを介して取得する。管理端末３０では、第２端末２０から取得した二次認証情報は第３認証情報として記憶部（図示せず）に記憶される。
【００３７】
続いて、管理端末３０において、第１認証情報と第３認証情報とが同一であるか否かを判定する第２判定処理＃９が実行される。第１認証情報は上述したように、第１認証情報取得処理＃３により取得され、記憶部に記憶されている。第３認証情報は上述したように、第３認証情報取得処理＃８により取得され、記憶部に記憶されている。他の端末とは、本実施形態では第２端末２０である。第２判定処理＃９では、第２端末２０から取得した第３認証情報が、第１端末１０から取得した第１認証情報と一致していれば、第２端末２０が第１認証情報及び第３認証情報の元となる認証情報に紐付けされた電子掲示板を使用可能であると判定し、第２端末２０から取得した第３認証情報が、第１端末１０から取得した第１認証情報と一致していなければ、第２端末２０が第１認証情報の元となる認証情報に紐付けされた電子掲示板を使用不可能であると判定する。
【００３８】
更に、第２判定処理＃９において第１認証情報と第３認証情報とが同一であると判定された場合に、他の端末に特定の電子掲示板の使用を許諾する第２許諾処理＃１０が実行される。すなわち、第２判定処理＃９において第２端末２０が第１認証情報及び第３認証情報の元となる認証情報に紐付けされた電子掲示板を使用可能であると判定された場合に、第２端末２０に対して当該電子掲示板の使用を許諾する。使用の許諾は、第２端末２０に対してメッセージを送るようにしても良いし、第２端末２０において電子掲示板の使用が可能となるように第２端末２０の表示画面に電子掲示板を表示するように構成しても良い。また、第２判定処理＃９において第２端末２０が第１認証情報の元となる認証情報に紐付けされた電子掲示板を使用不可能であると判定された場合には、第２端末２０の表示画面に当該電子掲示板の使用ができないことを明示するメッセージを表示するように構成すると好適である。
【００３９】
次に、電子掲示板用プログラムを用いた電子掲示板の使用について説明する。図２及び図３は、電子掲示板用プログラムの処理を示す図である。なお、ここでは第１端末１０による電子掲示板の利用登録後、改めて第１端末１０が認証を受ける場合の処理については省略する。これについては、第２端末２０が認証を受ける場合の処理に基づき行うことが可能である。
【００４０】
まず、第１端末１０のユーザにより、電子掲示板用プログラムのダウンロードが開始される（Ｓ１）。Ｓ１には、第１端末１０の表示画面に表示される電子掲示板用プログラムのダウンロード画面が示される。ここで、図２及び図３では、電子掲示板用プログラムは、アプリケーションとして示される。アプリケーションのダウンロードが終了すると、第１端末１０のユーザによりアプリケーションが起動される（Ｓ２）。アプリケーションが起動すると、Ｓ２に示されるように第１端末１０の表示画面に電子掲示板が表示される。
【００４１】
第１端末１０では、ユーザにより認証情報の入力が開始される（Ｓ３）。認証情報に基づき生成される二次認証情報は、上述したように、認証情報入力処理＃１において認証情報が入力されてから予め設定された時間が経過すると自動で実行されるが、Ｓ３に示されるように、ユーザが第１端末１０の表示画面に表示される「登録」アイコンを押下することで生成することも可能である。
【００４２】
図２の例では、「登録」アイコンが押下された結果（Ｓ３）、二次認証情報が生成される（Ｓ４）。生成された二次認証情報は、第１端末１０から管理端末３０に伝達され、管理端末３０では第１認証情報として記憶される（Ｓ５）。第１端末１０において、二次認証情報の生成が終了すると、第１端末１０では電子掲示板への入力が可能となる（Ｓ６）。
【００４３】
一方、第２端末２０では、第２端末２０のユーザによりアプリケーションのダウンロードが開始される（Ｓ７）。また、第２端末２０のユーザは、第１端末１０のユーザから例えば電子メールにより二次認証情報が伝達され、これによりアプリケーションが二次認証情報を取得する（Ｓ８）。
【００４４】
第２端末２０のユーザは、ダウンロードしたアプリケーションを起動し、取得した二次認証情報をアプリケーションに読み込む（Ｓ９）。アプリケーションにより読み込まれた二次認証情報は、管理端末３０に伝達され、第３認証情報として記憶される。
【００４５】
管理端末３０では、第２端末２０から取得した第３認証情報が第１認証情報と一致しているか否か判定する（Ｓ１０）。一致していると（Ｓ１０：Ｙｅｓ）、「認証ＯＫ」となり、第２端末２０において電子掲示板が利用可能となる（Ｓ１１）。係る場合、第２端末２０の表示画面には、第１端末１０の表示画面に表示される電子掲示板と同じ状態のもの（第１端末１０により既に入力されている情報が反映された状態のもの）が表示される。以降、互いの電子掲示板に入力されたものが、同期して表示される。
【００４６】
電子掲示板の利用を終了する場合には（Ｓ１２：Ｙｅｓ）、アプリケーションが終了する。電子掲示板の利用を終了しない場合には（Ｓ１２：Ｎｏ）、継続してアプリケーションが使用可能な状態となる。
【００４７】
Ｓ１０において、第３認証情報が第１認証情報と一致していない場合には（Ｓ１０：Ｎｏ）、第２端末２０の表示画面に、例えば「認証に失敗しました」のようなメッセージを表示する（Ｓ１３）。改めて認証を行う場合には（Ｓ１４：Ｙｅｓ）、Ｓ９に戻り、第２端末２０において二次認証情報の読み込みが行われる。一方、Ｓ１４において、改めて認証を行わない場合には（Ｓ１４：Ｎｏ）、アプリケーションが終了する。このようにして複数の端末で電子掲示板の共同利用が可能となる。
【００４８】
なお、第１端末１０による電子掲示板の利用登録後、改めて第１端末１０が認証を受ける場合の処理については、第１端末１０と管理端末３０との間でＳ９、Ｓ１０、Ｓ１３、Ｓ１４に亘る一連の処理を行えば良い。
【００４９】
〔別実施形態〕
上記実施形態では、特定の電子掲示板を共同利用する端末が２つの場合を例に挙げて説明したが、３つ以上の端末で電子掲示板を共同利用する場合に適用することも可能である。
【００５０】
上記実施形態では、二次認証情報生成処理＃２が第１端末１０において実行させるものとして説明したが、第１端末１０から管理端末３０に認証情報を伝達し、管理端末３０が当該認証情報から二次認証情報を生成するように構成することも可能である。係る場合、管理端末３０において生成された二次認証情報を管理端末３０が第１端末１０に伝達し、第１端末１０で使用すると共に、第１端末１０から第２端末２０に伝達するように構成することも可能であるし、生成された二次認証情報を管理端末３０が管理し、第１端末１０の指示に応じて管理端末３０から第２端末２０に伝達するように構成することも可能である。
【００５１】
上記実施形態では、第１許諾処理＃６及び第２許諾処理＃１０が管理端末３０において実行されるものとして説明した。しかしながら、第１判定処理＃５の判定結果を第１端末１０に伝達し、第１端末１０において第１許諾処理＃６を行うように構成することも可能である。また、第２判定処理＃９の判定結果を第２端末２０に伝達し、第２端末２０において第２許諾処理＃１０を行うように構成することも可能である。
【００５２】
上記実施形態では、二次認証情報生成処理＃２は、認証情報入力処理＃１において認証情報が入力されてから予め設定された時間が経過すると自動で実行されるとして説明したが、二次認証情報は、第１端末１０においてユーザが認証情報の入力を始めてから、予め設定された時間が経過した場合であっても自動で生成されないように構成することも可能である。
【００５３】
上記実施形態では、認証情報は手書き入力された情報であるとして説明したが、認証情報は例えば文字入力用アプリケーションや、キーボードを用いて入力されたものであっても良い。係る場合でも、入力されたものを画像化して二次認証情報を生成することが可能である。
【００５４】
上記実施形態では、二次認証情報は認証情報を画像化した画像化認証情報であるとして説明し、具体例として図２のＳ３ではイラストを画像化したものを挙げて説明した。二次認証情報は画像化認証情報における予め設定された範囲内の画像データとすることも可能である。このような例が図４に示される。第１端末１０においてユーザにより認証情報の入力が開始され、予め設定された量（一定量）のパスデータが蓄積された場合に、当該パスデータにおけるｘ座標の最大値、ｘ座標の最小値、ｙ座標の最大値、ｙ座標の最小値で囲まれる矩形Ｋ内の画像データを画像化して二次認証情報とすることが可能である。ここで、パスデータとは第１端末１０においてユーザがイラストや文字をかいた際に開始位置からの軌跡の座標を順次記憶したものであって、画像データとは各座標におけるＲＧＢ値である。このような座標が一定数（例えば１０００個）記憶された場合に、これらの座標に基づき矩形Ｋを設定し、当該矩形Ｋ内の画像データを画像化して二次認証情報を生成することが可能である。換言すれば、「ユーザにより入力されたイラストや文字を含む画像ファイルのデータ列の中で予め設定された開始位置から予め設定された文字数分の文字列」に基づき二次認証情報を生成すると言える。このような構成であっても、個人情報を用いることなく、二次認証情報を容易に生成することが可能である。
【００５５】
また、認証情報を手書きで入力する場合には、二次認証情報は、認証情報が手書き入力されてから予め設定された文字数に達するまでの文字列とすることも可能である。予め設定された文字数は、例えば画像認識処理により文字を認識し、認識された文字の数を計数すると良い。また、このように計数された文字の数が予め設定された文字数に達した場合には、かき始めてから当該文字数に達するまでの文字からなるまでの文字列を画像化して二次認証情報とすることも可能である。更には、画像認識処理を用いずに、手書き入力された文字やイラストのパスデータに基づく予め設定された文字数分の文字列を二次認証情報として利用することも可能である。係る場合には、図５に示されるように、かき始め位置から予め設定された文字数（所定の文字数）に達した位置までのパスデータを構成する文字列を二次認証情報として用いることが可能である。
【００５６】
上記実施形態では、電子掲示板用プログラムが第１端末１０及び第２端末２０が電子掲示板を利用する場合の例を挙げて説明したが、電子掲示板用プログラムは第１端末１０のみで使用する場合に適用することも可能である。係る場合には、二次認証情報取得処理＃７、第３認証情報取得処理＃８、第２判定処理＃９、及び第２許諾処理＃１０は不要である。
【００５７】
上記実施形態では、第１端末１０のユーザが二次認証情報を添付した電子メールを第２端末２０に送信するようにし、第２端末２０において二次認証情報を取得するように構成するとして説明したが、二次認証情報を添付した電子メールを第２端末２０に送信する代わりに、第１端末１０で表示した二次認証情報（画像）を第２端末２０のカメラで撮像して読み取り、第２端末２０の記憶部に記憶するように構成しても良い。係る場合、図３のＳ８における処理も、「第１端末１０で表示した二次認証情報（画像）を第２端末２０のカメラで撮像して読み取り、第２端末２０の記憶部に記憶する」という処理にすると良い。このような構成であっても、第２端末２０において二次認証情報を取得することが可能である。
【００５８】
上記実施形態では、電子掲示板用プログラムを用いて説明したが、上述した技術思想を用いてネットワークを介して接続された複数の端末で特定の掲示板を共同利用する電子掲示板システム１００として構成することも可能である。図６は、このような電子掲示板システム１００の構成の一例を示したブロック図である。
【００５９】
電子掲示板システム１００は、認証情報入力部１０１、二次認証情報生成部１０２、第１認証情報取得部１０３、第２認証情報取得部１０４、第１判定部１０５、第１許諾部１０６、二次認証情報取得部１０７、第３認証情報取得部１０８、第２判定部１０９、第２許諾部１１０の各機能部を備えて構成される。
【００６０】
認証情報入力部１０１は、複数の端末のうちの１つの端末である第１端末１０に設けられ、特定の電子掲示板に関連付けされる認証情報が入力される。二次認証情報生成部１０２は、認証情報を画像化した画像化認証情報及び認証情報が手書き入力されてから予め設定された文字数に達するまでの文字列の一方からなる二次認証情報を生成する。
【００６１】
第１認証情報取得部１０３は、特定の電子掲示板を管理する管理端末３０に設けられ、第１端末１０から二次認証情報を第１認証情報として取得する。第２認証情報取得部１０４は、管理端末３０において、第１端末１０における特定の電子掲示板の次回の使用時に、第１端末１０から二次認証情報を第２認証情報として取得する。第１判定部１０５は、管理端末３０において、第１認証情報と第２認証情報とが同一であるか否かを判定する。第１許諾部１０６は、第１認証情報と第２認証情報とが同一である場合に、第１端末１０に特定の電子掲示板の使用を許諾する。
【００６２】
二次認証情報取得部１０７は、複数の端末のうちの第１端末１０とは異なる他の端末である第２端末２０において、二次認証情報を取得する。
【００６３】
第３認証情報取得部１０８は、管理端末３０において、第２端末２０から二次認証情報を第３認証情報として取得する。第２判定部１０９は、管理端末３０において、第１認証情報と第３認証情報とが同一であるか否かを判定する。第２許諾部１１０は、第１認証情報と第３認証情報とが同一である場合に、第２端末２０に特定の電子掲示板の使用を許諾する。
【００６４】
以上のように構成することで、上述した電子掲示板用プログラムと実質的に差異はなく、電子掲示板用プログラムと同様の効果を奏することが可能である。
【００６５】
また、電子掲示板を第１端末１０のみで使用する場合には、電子掲示板システム１００は、二次認証情報取得部１０７、第３認証情報取得部１０８、第２判定部１０９、第２許諾部１１０を備えなくても良い。
【００６６】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００６７】
本発明は、ネットワークを介して接続された複数の端末で特定の電子掲示板を共同利用させるための電子掲示板用プログラム、及びネットワークを介して接続された複数の端末で特定の電子掲示板を共同利用する電子掲示板システムに用いることが可能である。
【符号の説明】
【００６８】
１０：第１端末（１つの端末）
２０：第２端末（他の端末）
３０：管理端末
１００：電子掲示板システム
１０１：認証情報入力部
１０２：二次認証情報生成部
１０３：第１認証情報取得部
１０４：第２認証情報取得部
１０５：第１判定部
１０６：第１許諾部
＃１：認証情報入力処理
＃２：二次認証情報生成処理
＃３：第１認証情報取得処理
＃４：第２認証情報取得処理
＃５：第１判定処理
＃６：第１許諾処理
＃７：二次認証情報取得処理
＃８：第３認証情報取得処理
＃９：第２判定処理
＃１０：第２許諾処理
【図１】
2020170250.tif 000003
【図２】
2020170250.tif 000004
【図３】
2020170250.tif 000005
【図４】
2020170250.tif 000006
【図５】
2020170250.tif 000007
【図６】
2020170250.tif 000008